(57)【要約】【課題】現在受信中の電界強度がページングチャネルを正常に受信できなくなるほど弱電界状態になった場合でも、着信率を向上する。【解決手段】携帯電話端末は、待ち受け状態中において、現在受信中のセルの電界強度とモニタ中のセルの電界強度とを測定し（ステップ１０１）、現在受信中のセルの電界強度が閾値Ａより弱いと判定された場合（ステップ１０２）、携帯電話端末は、現在受信中のセルの電波状態がページングチャネルを正常に受信できる環境ではないと判断し、現在受信中のセルより電界強度の強いセルが存在するどうかを判定する（ステップ１０４）。ステップ１０４において現在受信中のセルよりも電界強度の強いセルが存在すると判定された場合、携帯電話端末は、パージングチャネルを受信するためのセルを、現在受信中のセルから電界強度が強いと判定されたモニタ中のセルへ切り替えるセル再選択動作を行う（ステップ１０５）。【選択図】図１
2007053437.tif 000002
【特許請求の範囲】
【請求項１】
無線基地局装置からのページングチャネルを受信している待ち受け状態において、現在受信中のセルの電界強度とモニタ中の他のセルの電界強度とを測定するステップと、
現在受信中のセルの電界強度が、予め設定された閾値以上かどうかを判定するステップと、
現在受信中のセルの電界強度が前記閾値より小さい場合、現在受信中のセルの電界強度とモニタ中のセルの電界強度とを比較するステップと、
モニタ中のセルの電界強度が現在受信中のセルの電界強度よりも強い場合、モニタ中のセルを新たにページングチャネルを受信するためのセルとして設定するセル再選択処理を行うステップと、
を備えた、携帯電話端末におけるセル選択方法。
【請求項２】
無線基地局装置からのページングチャネルを受信している待ち受け状態において、現在受信中のセルの電界強度とモニタ中の他のセルの電界強度とを測定する手段と、
現在受信中のセルの電界強度が、予め設定された閾値以上かどうかを判定する手段と、
現在受信中のセルの電界強度が前記閾値より小さい場合、現在受信中のセルの電界強度とモニタ中のセルの電界強度とを比較する手段と、
モニタ中のセルの電界強度が現在受信中のセルの電界強度よりも強い場合、モニタ中のセルを新たにページングチャネルを受信するためのセルとして設定するセル再選択処理を行う手段と、を備えた携帯電話端末。
【発明の詳細な説明】
【技術分野】
【０００１】
本発明は、移動通信システムにおける携帯電話端末に関し、特に待ち受け状態において着呼の有無を確認するためのページングチャネルを受信するためのセルを選択するためのセル選択方法に関する。
【背景技術】
【０００２】
近年、第三世代移動通信システムとして、干渉や妨害に強いＣＤＭＡ（符号分割多元接続：Code Division Multiple Access）通信システムが広く普及してきている。このＣＤＭＡ通信システムとは、送信側では送信したいユーザ信号を拡散符号により拡散して送信し、受信側ではその拡散符号と同一の拡散符号を用いて逆拡散を行うことにより元のユーザ信号を得る通信システムである。
【０００３】
このような移動通信システムでは、携帯電話端末は、待ち受け状態中においては無線基地局装置からのページングチャネルを受信することにより着呼の有無を確認している。しかし、携帯電話端末がこのような待ち受け状態中に移動した場合、ページングチャネルを受信する無線基地局を切り換える必要がある（例えば、特許文献１参照。）。このような、ページングチャネルを受信する無線基地局を切り換える動作はセル再選択（Cell Reselection）と呼ばれる。
【０００４】
第三世代移動通信システムの国際規格を検討している標準化プロジェクトである３ＧＰＰ（3rd Generation Partnership Project）では、図２に示すように、現在受信中のセル（Serving Cell）の電界強度とモニタ中のセル（Monitor Cell）の電界強度との差がヒステリシス値Ｑhyst以上の状態が一定時間Ｔｒ以上継続した場合にセル再選択を行うよう規定されている。
【０００５】
しかし、現在受信中のセルよりもモニタ中のセルのほうが受信電界強度が強く、受信品質が良い場合でも、３ＧＰＰに規定された条件が満足されないため、セル再選択処理が動作しない場合がある。例えば、図３のように現在受信中のセルの電界強度とモニタ中のセルの電界強度との差がヒステリシス値Ｑhyst以上にならない場合、または図４のように現在受信中のセルの電界強度とモニタ中のセルの電界強度との差がヒステリシス値Ｑhyst以上にはなるが、一定時間Ｔｒ以上継続できない場合である。
【０００６】
この図３、図４に示したような場合には、モニタ中のセルの電界強度の方が現在受信中のセルの電界強度よりも強いにもかかわらず、携帯電話端末は、電界強度が低いセルを待ち受け対象のセルとして待ち受け状態を行うことになってしまう。そして、現在受信中のセルの電界強度が弱い場合には、ページングチャネルを正しく受信することができなくなり、着信率が低下してしまうという問題が発生する。
【特許文献１】特開平１１−３０８６６３号公報
【発明の開示】
【発明が解決しようとする課題】
【０００７】
上述した従来のセル選択方法では、現在受信中のセルの電界強度がページングチャネルを受信することができない電界強度まで低下した場合でも、ネットワークにより設定されたセル選択動作条件が満足されない場合にはセル選択動作は一切行われないため、たとえモニタ中のセルの電界強度のほうが強い場合でも、ページングチャネルが正常に受信できずに着信率の低下を招いてしまうという問題があった。
【０００８】
本発明の目的は、現在受信中の電界強度がページングチャネルを正常に受信できなくなるほど弱電界状態になった場合でも、着信率を向上することが可能な携帯電話端末およびセル選択方法を提供することである。
【課題を解決するための手段】
【０００９】
上記目的を達成するために、本発明の携帯電話端末におけるセル選択方法は、
無線基地局装置からのページングチャネルを受信している待ち受け状態において、現在受信中のセルの電界強度とモニタ中の他のセルの電界強度とを測定するステップと、
現在受信中のセルの電界強度が、予め設定された閾値以上かどうかを判定するステップと、
現在受信中のセルの電界強度が前記閾値より小さい場合、現在受信中のセルの電界強度とモニタ中のセルの電界強度とを比較するステップと、
モニタ中のセルの電界強度が現在受信中のセルの電界強度よりも強い場合、モニタ中のセルを新たにページングチャネルを受信するためのセルとして設定するセル再選択処理を行うステップとを備えている。
【００１０】
本発明によれば、現在受信中の電界強度がページングチャネルを正常に受信できなくなるほど弱電界状態になり、現在受信中のセルよりもモニタ中のセルの電界強度のほうが強いと判断した場合には、携帯電話端末は、ネットワークにより設定されたセル選択条件によらずにセル再選択動作を行うようにしているので、着信率を向上することができる。
【発明の効果】
【００１１】
以上説明したように、本発明によれば、現在受信中の電界強度がページングチャネルを正常に受信できなくなるほど弱電界状態になった場合には、３ＧＰＰに規定されたセル再選択動作によらないで、モニタ中のセルの中からより電界強度が強いセルを選択するセル再選択動作を行うようにしているので、着信率を向上することができるという効果を得ることができる。
【発明を実施するための最良の形態】
【００１２】
次に、本発明の実施の形態について図面を参照して詳細に説明する。
【００１３】
図１は本発明の一実施形態の携帯電話端末におけるセル選択方法を説明するためのフローチャートである。
【００１４】
本実施形態の携帯電話端末は、待ち受け状態中において、現在受信中のセルの電界強度とモニタ中のセルの電界強度とを測定する（ステップ１０１）。そして、携帯電話端末は、ステップ１０１において測定された、現在受信中のセルの電界強度が予め設定された閾値Ａ以上かどうかを判定する（ステップ１０２）。ここで、閾値Ａとしては、ページングチャネルが正常に受信できる最低限度の電界強度を選択するものとする。つまり、電界強度が閾値Ａ以上であればページングチャネルが正常に受信できると予想され、逆に電界強度が閾値Ａより弱ければページングチャネルを正常に受信することができなくなると予想される。
【００１５】
そして、ステップ１０２において、現在受信中のセルの電界強度が閾値Ａ以上であると判定された場合、本実施形態の携帯電話端末は、3GPP TS 25.133, 3GPP TS 25.304(3GPP)で定められたセル再選択動作を実施する（ステップ１０３）。即ち現在受信中のセルの電界強度とモニタ中のセルの電界強度との差がヒステリシス値Ｑhyst以上の状態がＴｒ時間継続した場合、セル再選択動作を行ってページングチャネルを監視するセルを現在受信中のセルからモニタ中のセルへ移行する。
【００１６】
そして、ステップ１０２において、現在受信中のセルの電界強度が閾値Ａより弱いと判定された場合、本実施形態の携帯電話端末は、現在受信中のセルの電波状態がページングチャネルを正常に受信できる環境ではないと判断して、現在受信中のセルより電界強度の強いセルが存在するどうかを判定する（ステップ１０４）。つまり、携帯電話端末は、現在受信中のセルより電界強度の強いモニタ中のセルがあるかどうかを判定する。
【００１７】
そして、ステップ１０４において現在受信中のセルよりも電界強度の強いセルが存在すると判定された場合、携帯電話端末は、パージングチャネルを受信するためのセルを、現在受信中のセルから電界強度が強いと判定されたモニタ中のセルへ切り替えるセル再選択動作を行う（ステップ１０５）。
【００１８】
本実施形態のセル選択方法によれば、ステップ１０３において行われる３ＧＰＰで規定されているセル再選択の条件が満たされない場合でも、現在受信中のセルの電界強度が閾値Ａよりも弱い場合には、このままではページングチャネルを正常に受信することはできないと判断して、少しでも受電品質の良いセルに移行するようにすることにより、ページングチャネルを受信するセルの受信品質の向上が期待できる。
【００１９】
また、本実施形態のセル選択方法では、ヒステリシス値Ｑhyst以上の状態が継続することを時間Ｔｒ待ってセル再選択を行うことと比較すると、すぐにセル再選択が実施されるので、短時間でセル再選択動作を行うことが可能となる。
【００２０】
このような結果、ページングチャネルが正常に受信できないような弱電界環境のセルを受信している状態から素早くセル再選択動作を実施することができるので、ページングチャネルを正常に受信できる可能性が向上し、着信率を向上する事ができる。
【００２１】
本実施形態では、第３世代の移動通信システムの携帯電話端末に対して適用した場合を用いて説明したが、本発明はこれに限定されるものではなく、セル再選択を行うような通信方法を用いた移動通信システムであれば同様に本発明を適用することができるものである。
【００２２】
また、本実施形態では、閾値Ａの値は一定であるものとして説明しているが、本発明はこのような場合に限定されるものではない。３ＧＰＰにより規定されたセル再選択動作におけるヒステリシス値Ｑhystと時間Ｔｒの値はネットワークにより異なるため、ヒステリシス値Ｑhystや時間Ｔrの値により、閾値Ａの値を変動させるようにしてもよい。
【図面の簡単な説明】
【００２３】
【図１】図１は本発明の一実施形態の携帯端末装置におけるセル選択方法を説明するためのフローチャートである。
【図２】３ＧＰＰにより規定されたセル再選択条件を説明するための図である。
【図３】従来のセル選択方法ではセル再選択動作が行われない電波状態を示す一例である。
【図４】従来のセル選択方法ではセル再選択動作が行われない電波状態を示す他の例である。
【符号の説明】
【００２４】
１０１〜１０５    ステップ
【図１】
2007053437.tif 000003
【図２】
2007053437.tif 000004
【図３】
2007053437.tif 000005
【図４】
2007053437.tif 000006